(57)【要約】【課題】検体の再検査を初検とは異なる他の測定ユニットで実行したいという要望と、再検査が必要であると判断された検体の再検査結果を早期に取得したいという要望との両方の要望を実現することが可能な分析装置、分析方法及びコンピュータプログラムを提供する。【解決手段】検体を測定して測定データを出力する複数の測定ユニットと、複数の該測定ユニットに対して測定対象となる検体を搬送する搬送装置とを備える。所定の測定ユニットでの測定結果に基づいて検体の再検査が必要であるか否かを判断し、再検査が必要であると判断された検体を再測定する１つの測定ユニットの設定を受け付ける。搬送装置は、再検査が必要であると判断された検体を、設定された測定ユニットへ搬送するよう制御される。【選択図】図９
2010190816.tif 000002
【特許請求の範囲】
【請求項１】
検体を測定して測定データを出力する複数の測定ユニットと、
複数の該測定ユニットに対して測定対象となる検体を搬送する搬送装置と、
所定の測定ユニットでの測定結果に基づいて検体の再検査が必要であるか否かを判断する再検査判断手段と、
該再検査判断手段で再検査が必要であると判断された検体を再測定する１つの測定ユニットの設定を受け付ける測定ユニット設定受付手段と、
前記搬送装置が、再検査が必要であると判断された検体を、設定された測定ユニットへ搬送するよう制御する搬送制御手段と
を備えることを特徴とする分析装置。
【請求項２】
前記測定ユニット設定受付手段は、前記所定の測定ユニットを、前記再検査判断手段で再検査が必要であると判断された検体を再測定する１つの測定ユニットとして設定を受け付けることを特徴とする請求項１記載の分析装置。
【請求項３】
前記測定ユニットは３以上備えてあり、
前記測定ユニット設定受付手段は、再検査を前記所定の測定ユニットと異なる他の測定ユニットで実行するとの設定を受け付けることが可能にしてあり、
前記測定ユニット設定受付手段にて、再検査を前記所定の測定ユニットと異なる他の測定ユニットで実行するとの設定を受け付けた場合、前記搬送制御手段は、所定の条件に基づいて再検査を実行する測定ユニットを選択して、再検査が必要であると判断された検体を搬送するよう制御することを特徴とする請求項１又は２記載の分析装置。
【請求項４】
前記搬送制御手段は、測定ユニットごとの処理負荷を算出する処理負荷算出手段を備え、
処理負荷の最も軽い測定ユニットを選択して、再検査が必要であると判断された検体を搬送するよう制御することを特徴とする請求項３記載の分析装置。
【請求項５】
前記再検査判断手段で、検体の再検査が必要であるか否かを判断する複数の判断条件を記憶する判断条件記憶手段を備え、
前記測定ユニット設定受付手段は、前記判断条件ごとに、再検査が必要であると判断された検体を再測定する測定ユニットの設定を受け付けることを特徴とする請求項１乃至４のいずれか一項に記載の分析装置。
【請求項６】
前記判断条件記憶手段は、所定の測定項目ごとの分析結果の正常範囲を前記判断条件として記憶することを特徴とする請求項５記載の分析装置。
【請求項７】
前記搬送装置は、検体を順方向及び逆方向に搬送することが可能な搬送ラインを備えることを特徴とする請求項１乃至６のいずれか一項に記載の分析装置。
【請求項８】
複数の前記測定ユニットは、血液中の血球数を計数する血球計数装置であることを特徴とする請求項１乃至７のいずれか一項に記載の分析装置。
【請求項９】
前記再検査判断手段で再検査が必要であると判断された検体の再測定に要する分析結果取得時間を測定ユニットごとに取得する時間取得手段と、
該時間取得手段で取得した前記分析結果取得時間を出力する時間出力手段と
を備えることを特徴とする請求項１乃至８のいずれか一項に記載の分析装置。
【請求項１０】
検体を測定して測定データを出力する複数の測定ユニットと、
複数の該測定ユニットに対して測定対象となる検体を搬送する搬送装置と、
所定の測定ユニットでの測定結果に基づいて検体の再検査が必要であるか否かを判断する再検査判断手段と、
該再検査判断手段で再検査が必要であると判断された検体の再測定に要する分析結果取得時間を測定ユニットごとに算出する分析結果取得時間算出手段と、
算出した分析結果取得時間が最も短い測定ユニットを、検体を再測定する測定ユニットとして選択する測定ユニット選択手段と、
前記搬送装置が、再検査が必要であると判断された検体を、選択された測定ユニットへ搬送するよう制御する搬送制御手段と
を備えることを特徴とする分析装置。
【請求項１１】
検体を測定して測定データを出力する複数の測定ユニットと、
複数の該測定ユニットに対して測定対象となる検体を搬送する搬送装置と
を備え、検体を分析する分析装置で実行することが可能な分析方法において、
所定の測定ユニットでの測定結果に基づいて検体の再検査が必要であるか否かを判断し、
再検査が必要であると判断された検体を再測定する１つの測定ユニットの設定を受け付け、
前記搬送装置が、再検査が必要であると判断された検体を、設定された測定ユニットへ搬送するよう制御することを特徴とする分析方法。
【請求項１２】
検体を測定して測定データを出力する複数の測定ユニットと、
複数の該測定ユニットに対して測定対象となる検体を搬送する搬送装置と
を備え、検体を分析する分析装置で実行することが可能な分析方法において、
所定の測定ユニットでの測定結果に基づいて検体の再検査が必要であるか否かを判断し、
再検査が必要であると判断された検体の再測定に要する分析結果取得時間を測定ユニットごとに算出し、
算出した分析結果取得時間が最も短い測定ユニットを、検体を再測定する測定ユニットとして選択し、
前記搬送装置が、再検査が必要であると判断された検体を、選択された測定ユニットへ搬送するよう制御することを特徴とする分析方法。
【請求項１３】
検体を測定して測定データを出力する複数の測定ユニットと、
複数の該測定ユニットに対して測定対象となる検体を搬送する搬送装置と
を備え、検体を分析する分析装置で実行することが可能なコンピュータプログラムにおいて、
前記分析装置を、
所定の測定ユニットでの測定結果に基づいて検体の再検査が必要であるか否かを判断する再検査判断手段、
該再検査判断手段で再検査が必要であると判断された検体を再測定する１つの測定ユニットの設定を受け付ける測定ユニット設定受付手段、及び
前記搬送装置が、再検査が必要であると判断された検体を、設定された測定ユニットへ搬送するよう制御する搬送制御手段
として機能させることを特徴とするコンピュータプログラム。
【請求項１４】
検体を測定して測定データを出力する複数の測定ユニットと、
複数の該測定ユニットに対して測定対象となる検体を搬送する搬送装置と
を備え、検体を分析する分析装置で実行することが可能なコンピュータプログラムにおいて、
前記分析装置を、
所定の測定ユニットでの測定結果に基づいて検体の再検査が必要であるか否かを判断する再検査判断手段、
該再検査判断手段で再検査が必要であると判断された検体の再測定に要する分析結果取得時間を測定ユニットごとに算出する分析結果取得時間算出手段、
算出した分析結果取得時間が最も短い測定ユニットを、検体を再測定する測定ユニットとして選択する測定ユニット選択手段、及び
前記搬送装置が、再検査が必要であると判断された検体を、選択された測定ユニットへ搬送するよう制御する搬送制御手段
として機能させることを特徴とするコンピュータプログラム。
【発明の詳細な説明】
【技術分野】
【０００１】
本発明は、複数の測定ユニットと、複数の測定ユニットに対して測定対象となる検体を搬送する搬送装置とを備え、検体の再検査を実行することが可能な分析装置、分析方法及びコンピュータプログラムに関する。
【背景技術】
【０００２】
従来、血液、血清、血漿、尿、髄液等の検体を、分散配置されている生化学分析装置、免疫検査装置、血液検査装置、尿検査装置等の各測定ユニットへ搬送して、検査又は再検査を実行する分析装置が多々開発されている。斯かる分析装置では、検体の１回目の検査（以下、初検という）において各測定ユニットでの分析結果が正常値と比べて異常であるか否かを判断し、異常であると判断された場合には、再検査が必要な検体であると判断して、再度検体を分析する。
【０００３】
再検査が必要となるのは、分析結果は正常であるが、所定の測定項目の分析結果が正常範囲を外れている場合、及び装置の異常、検体の劣化等により分析結果が正しく得られていない場合等である。検体の分析結果が正常範囲を外れている場合、分析結果だけからは装置の異常が原因であるのか、その他の原因であるのかを特定することができない。したがって、再検査を初検とは別の測定ユニットにて実行することが望ましい。
【０００４】
一方、再検査の結果を早期に取得することを優先するべきケースも存在する。再検査の結果を早期に取得するためには、初検の分析結果を得た時点で検体に最も近接する測定ユニットに搬送することが好ましい。例えば分析結果は、検体を吸引してから数分以内で取得することができ、初検を実行した測定ユニットと同一の測定ユニットが最も近接する測定ユニットとなる可能性が高い。したがって、再検査を初検と同一の測定ユニットで実行するか、他の測定ユニットで実行するかは、状況に応じて柔軟に対応することが求められている。
【０００５】
例えば特許文献１には、複数の分析モジュールと、複数の分析モジュールに検体を搬送する搬送装置とを備えた自動分析システムが開示されている。特許文献１に開示されている自動分析システムでは、検体の再分析を行う分析モジュールを、「完全別モジュール」、「別モジュール優先」、「処理能力優先」の３つから指定することが可能となっている。
【０００６】
「完全別モジュール」が指定された場合、初検を実行した分析モジュールとは異なる他の分析モジュールで再分析が実行される。「別モジュール優先」が指定された場合、他の分析モジュールが優先されるが、他の分析モジュールが分析中であり高負荷の状態である場合には初検を実行した分析モジュールで再分析が実行される。「処理能力優先」が指定された場合、分析モジュールとして処理能力が最も高い分析モジュールにて再分析が実行される。
【先行技術文献】
【特許文献】
【０００７】
【特許文献１】特開２００８−０３９５５４号公報
【発明の概要】
【発明が解決しようとする課題】
【０００８】
上記のように、分析装置の使用者には、検体の再検査を初検とは異なる他の測定ユニットで実行したいという要望と、再検査が必要であると判断された検体の再検査結果を早期に取得したいという要望とがある。これらの要望を実現するためには、特定の１つの分析モジュールを、再検査を実行する分析モジュールとして指定することが効果的である。ここで、特許文献１に開示してある自動分析システムでは、再分析を実行する分析モジュールとして他の分析モジュールを指定することが可能である。しかし、特定の１つの分析モジュールを、再検査を実行する分析モジュールとして指定することについては開示されていない。
【０００９】
本発明は斯かる事情に鑑みてなされたものであり、検体の再検査を初検とは異なる他の測定ユニットで実行したいという要望と、再検査が必要であると判断された検体の再検査結果を早期に取得したいという要望との両方の要望を実現することが可能な分析装置、分析方法及びコンピュータプログラムを提供することを目的とする。
【課題を解決するための手段】
【００１０】
上記目的を達成するために第１発明に係る分析装置は、検体を測定して測定データを出力する複数の測定ユニットと、複数の該測定ユニットに対して測定対象となる検体を搬送する搬送装置と、所定の測定ユニットでの測定結果に基づいて検体の再検査が必要であるか否かを判断する再検査判断手段と、該再検査判断手段で再検査が必要であると判断された検体を再測定する１つの測定ユニットの設定を受け付ける測定ユニット設定受付手段と、前記搬送装置が、再検査が必要であると判断された検体を、設定された測定ユニットへ搬送するよう制御する搬送制御手段とを備えることを特徴とする。
【００１１】
また、第２発明に係る分析装置は、第１発明において、前記測定ユニット設定受付手段は、前記所定の測定ユニットを、前記再検査判断手段で再検査が必要であると判断された検体を再測定する１つの測定ユニットとして設定を受け付けることを特徴とする。
【００１２】
また、第３発明に係る分析装置は、第１又は第２発明において、前記測定ユニットは３以上備えてあり、前記測定ユニット設定受付手段は、再検査を前記所定の測定ユニットと異なる他の測定ユニットで実行するとの設定を受け付けることが可能にしてあり、前記測定ユニット設定受付手段にて、再検査を前記所定の測定ユニットと異なる他の測定ユニットで実行するとの設定を受け付けた場合、前記搬送制御手段は、所定の条件に基づいて再検査を実行する測定ユニットを選択して、再検査が必要であると判断された検体を搬送するよう制御することを特徴とする。
【００１３】
また、第４発明に係る分析装置は、第３発明において、前記搬送制御手段は、測定ユニットごとの処理負荷を算出する処理負荷算出手段を備え、処理負荷の最も軽い測定ユニットを選択して、再検査が必要であると判断された検体を搬送するよう制御することを特徴とする。
【００１４】
また、第５発明に係る分析装置は、第１乃至第４発明のいずれか１つにおいて、前記再検査判断手段で、検体の再検査が必要であるか否かを判断する複数の判断条件を記憶する判断条件記憶手段を備え、前記測定ユニット設定受付手段は、前記判断条件ごとに、再検査が必要であると判断された検体を再測定する測定ユニットの設定を受け付けることを特徴とする。
【００１５】
また、第６発明に係る分析装置は、第５発明において、前記判断条件記憶手段は、所定の測定項目ごとの分析結果の正常範囲を前記判断条件として記憶することを特徴とする。
【００１６】
また、第７発明に係る分析装置は、第１乃至第６発明のいずれか１つにおいて、前記搬送装置は、検体を順方向及び逆方向に搬送することが可能な搬送ラインを備えることを特徴とする。
【００１７】
また、第８発明に係る分析装置は、第１乃至第７発明のいずれか１つにおいて、複数の前記測定ユニットは、血液中の血球数を計数する血球計数装置であることを特徴とする。
【００１８】
また、第９発明に係る分析装置は、第１乃至第８発明のいずれか１つにおいて、前記再検査判断手段で再検査が必要であると判断された検体の再測定に要する分析結果取得時間を測定ユニットごとに取得する時間取得手段と、該時間取得手段で取得した前記分析結果取得時間を出力する時間出力手段とを備えることを特徴とする。
【００１９】
次に、上記目的を達成するために第１０発明に係る分析装置は、検体を測定して測定データを出力する複数の測定ユニットと、複数の該測定ユニットに対して測定対象となる検体を搬送する搬送装置と、所定の測定ユニットでの測定結果に基づいて検体の再検査が必要であるか否かを判断する再検査判断手段と、該再検査判断手段で再検査が必要であると判断された検体の再測定に要する分析結果取得時間を測定ユニットごとに算出する分析結果取得時間算出手段と、算出した分析結果取得時間が最も短い測定ユニットを、検体を再測定する測定ユニットとして選択する測定ユニット選択手段と、前記搬送装置が、再検査が必要であると判断された検体を、選択された測定ユニットへ搬送するよう制御する搬送制御手段とを備えることを特徴とする。
【００２０】
次に、上記目的を達成するために第１１発明に係る分析方法は、検体を測定して測定データを出力する複数の測定ユニットと、複数の該測定ユニットに対して測定対象となる検体を搬送する搬送装置とを備え、検体を分析する分析装置で実行することが可能な分析方法において、所定の測定ユニットでの測定結果に基づいて検体の再検査が必要であるか否かを判断し、再検査が必要であると判断された検体を再測定する１つの測定ユニットの設定を受け付け、前記搬送装置が、再検査が必要であると判断された検体を、設定された測定ユニットへ搬送するよう制御することを特徴とする。
【００２１】
次に、上記目的を達成するために第１２発明に係る分析方法は、検体を測定して測定データを出力する複数の測定ユニットと、複数の該測定ユニットに対して測定対象となる検体を搬送する搬送装置とを備え、検体を分析する分析装置で実行することが可能な分析方法において、所定の測定ユニットでの測定結果に基づいて検体の再検査が必要であるか否かを判断し、再検査が必要であると判断された検体の再測定に要する分析結果取得時間を測定ユニットごとに算出し、算出した分析結果取得時間が最も短い測定ユニットを、検体を再測定する測定ユニットとして選択し、前記搬送装置が、再検査が必要であると判断された検体を、選択された測定ユニットへ搬送するよう制御することを特徴とする。
【００２２】
次に、上記目的を達成するために第１３発明に係るコンピュータプログラムは、検体を測定して測定データを出力する複数の測定ユニットと、複数の該測定ユニットに対して測定対象となる検体を搬送する搬送装置とを備え、検体を分析する分析装置で実行することが可能なコンピュータプログラムにおいて、前記分析装置を、所定の測定ユニットでの測定結果に基づいて検体の再検査が必要であるか否かを判断する再検査判断手段、該再検査判断手段で再検査が必要であると判断された検体を再測定する１つの測定ユニットの設定を受け付ける測定ユニット設定受付手段、及び前記搬送装置が、再検査が必要であると判断された検体を、設定された測定ユニットへ搬送するよう制御する搬送制御手段として機能させることを特徴とする。
【００２３】
次に、上記目的を達成するために第１４発明に係るコンピュータプログラムは、検体を測定して測定データを出力する複数の測定ユニットと、複数の該測定ユニットに対して測定対象となる検体を搬送する搬送装置とを備え、検体を分析する分析装置で実行することが可能なコンピュータプログラムにおいて、前記分析装置を、所定の測定ユニットでの測定結果に基づいて検体の再検査が必要であるか否かを判断する再検査判断手段、該再検査判断手段で再検査が必要であると判断された検体の再測定に要する分析結果取得時間を測定ユニットごとに算出する分析結果取得時間算出手段、算出した分析結果取得時間が最も短い測定ユニットを、検体を再測定する測定ユニットとして選択する測定ユニット選択手段、及び前記搬送装置が、再検査が必要であると判断された検体を、選択された測定ユニットへ搬送するよう制御する搬送制御手段として機能させることを特徴とする。
【００２４】
第１発明、第１１発明及び第１３発明では、所定の測定ユニットでの測定結果に基づいて検体の再検査が必要であるか否かを判断し、再検査が必要であると判断された検体を再測定する１つの測定ユニットの設定を受け付ける。搬送装置は、再検査が必要であると判断された検体を、設定された測定ユニットへ搬送するよう制御される。検体の再検査を実行する測定ユニットの設定として、最短で分析結果を得ることができる１つの測定ユニットの設定、又は初検を実行した測定ユニット以外の１つの測定ユニットの設定を、それぞれ受け付けることができ、再検査を初検とは異なる他の測定ユニットで実行したいという要望と、再検査が必要であると判断された検体の再検査の分析結果を早期に取得したいという要望との両方の要望を実現することが可能な分析装置を提供することができる。
【００２５】
最短で分析結果を得ることができる１つの測定ユニットは、多くの場合、初検を実行した測定ユニットである。第２発明では、初検を実行した所定の測定ユニットを、再検査が必要であると判断された検体を再測定する１つの測定ユニットとして設定を受け付けることにより、再検査が必要であると判断された検体の再検査結果を早期に取得したいという要望を実現することが可能となる。
【００２６】
第３発明では、測定ユニットは３以上備えてあり、再検査を所定の測定ユニットと異なる他の測定ユニットで実行するとの設定を受け付けた場合、所定の条件に基づいて再検査を実行する測定ユニットを選択して、再検査が必要であると判断された検体を搬送するよう制御する。他の測定ユニットが複数あることから、いずれの測定ユニットを再検査を実行する測定ユニットとするかを所定の条件に基づいて選択することにより、１つの測定ユニットの設定を受け付けなかった場合であっても、再検査を実行する測定ユニットを確実に特定することが可能となる。
【００２７】
第４発明では、測定ユニットごとの処理負荷を算出し、処理負荷の最も軽い測定ユニットを選択して、再検査が必要であると判断された検体を搬送するよう制御する。これにより、他の測定ユニットが複数ある場合であっても、処理負荷の最も軽い測定ユニットを選択することができ、再検査を確実に実行することが可能な測定ユニットを特定することが可能となる。
【００２８】
第５発明では、検体の再検査が必要であるか否かを判断する複数の判断条件を記憶しておき、判断条件ごとに、再検査が必要であると判断された検体を再測定する測定ユニットを選択する。これにより、測定項目ごとに分析結果を取得するまでの時間が相違する場合であっても、異常であると判断された測定項目に応じて最も近接する測定ユニットにて再検査を実行することが可能となる。
【００２９】
第６発明では、所定の測定項目ごとの分析結果の正常範囲を前記判断条件として記憶することにより、分析結果の適否を的確に判断することが可能となる。
【００３０】
第７発明では、搬送装置が、検体を順方向及び逆方向に搬送することが可能な搬送ラインを備えることにより、別途再検査用の搬送ラインを設ける必要がなく、装置全体として低コストにすることが可能となる。
【００３１】
第８発明では、複数の測定ユニットが、血液中の血球数を計数する血球計数装置であることにより、計数した血球数に基づいて再検査を他の測定ユニットで実行するか否かの設定を受け付けることが可能となる。また、血球計数装置は、測定項目によって分析結果を取得するまでの時間が大きく相違することがないので、再検査結果を早期に取得可能な測定ユニットの特定が容易であり、使用者が容易に１つの測定ユニットを選択することが可能となる。
【００３２】
第９発明では、再検査が必要であると判断された検体の再測定に要する、測定ユニットごとの分析結果取得時間に基づいて、検体を再測定する測定ユニットの設定を受け付けることにより、再検査を実行する測定ユニットとして、分析結果取得時間が最短となる測定ユニットの設定を受け付けることができるので、再検査が必要であると判断された検体の再検査の分析結果を早期に取得することが可能となる。
【００３３】
第１０発明、第１２発明及び第１４発明では、所定の測定ユニットでの測定結果に基づいて検体の再検査が必要であるか否かを判断し、再検査が必要であると判断された検体の再測定に要する分析結果取得時間を測定ユニットごとに算出し、算出した分析結果取得時間が最も短い測定ユニットを、検体を再測定する測定ユニットとして選択する。搬送装置が、再検査が必要であると判断された検体を、選択された測定ユニットへ搬送するよう制御することにより、再検査を実行する測定ユニットとして、分析結果取得時間が最短となる測定ユニットが自動的に選択され、再検査の分析結果を早期に取得することが可能となる。
【発明の効果】
【００３４】
上記構成によれば、検体の再検査を実行する測定ユニットの設定として、最短で分析結果を得ることができる初検を行った測定ユニットの設定、又は該測定ユニット以外の他の測定ユニットの設定を、それぞれ受け付けることができ、再検査を初検とは異なる他の測定ユニットで実行したいという要望と、再検査が必要であると判断された検体の再検査の分析結果を早期に取得したいという要望との両方の要望を実現することが可能な分析装置を提供することができる。
【図面の簡単な説明】
【００３５】
【図１】本発明の実施の形態１に係る分析装置の概略構成を示す模式図である。
【図２】検体容器の外観を示す斜視図である。
【図３】サンプルラックの外観を示す斜視図である。
【図４】本発明の実施の形態１に係る分析装置の検体搬送装置の概略構成を示す模式図である。
【図５】本発明の実施の形態１に係る搬送制御装置の構成を示すブロック図である。
【図６】本発明の実施の形態１に係る分析装置の測定ユニット及び制御装置の構成を示すブロック図である。
【図７】本発明の実施の形態１に係る分析装置の再検査を実行する測定ユニットを設定する測定ユニット設定画面の例示図である。
【図８】本発明の実施の形態１に係る分析装置の再検査を実行する測定ユニットの測定項目ごとの設定画面の例示図である。
【図９】本発明の実施の形態１に係る分析装置の搬送制御装置のＣＰＵの再検査処理の手順を示すフローチャートである。
【図１０】本発明の実施の形態２に係る分析装置の搬送制御装置のＣＰＵの再検査処理の手順を示すフローチャートである。
【図１１】本発明の実施の形態３に係る分析装置の概略構成を示す模式図である。
【図１２】本発明の実施の形態３に係る分析装置の制御装置の構成を示すブロック図である。
【図１３】本発明の実施の形態３に係る分析装置の制御装置のＣＰＵの再検査処理の手順を示すフローチャートである。
【発明を実施するための形態】
【００３６】
（実施の形態１）
図１は、本発明の実施の形態１に係る分析装置の概略構成を示す模式図である。本発明の実施の形態１に係る分析装置１は、検体容器を収容したサンプルラックを投入する検体投入装置２、検体を測定する複数の測定ユニット５（５ａ、５ｂ、５ｃ、５ｄ）、測定ユニット５ごとに設けてある、サンプルラックを搬送する検体搬送装置（搬送装置）３、３、・・・、検体採取後のサンプルラックを収容する検体収容装置４、搬送制御装置８を備えている。
【００３７】
複数の測定ユニット５、５、・・・は、同一種類の測定ユニットであっても良いし、複数種類の測定ユニットであっても良い。測定ユニット５、５、・・・は一の制御装置９にＬＡＮ７を介して接続されている。本実施の形態１では制御装置９が測定ユニット５、５、・・・の動作を制御する。
【００３８】
検体投入装置２は、複数の検体容器を収容したサンプルラックを検体搬送装置３、３、・・・へ送出するように構成されている。サンプルラックの送出は、検体投入装置２にＬＡＮ７を介してデータ通信することが可能に接続されている搬送制御装置８によって制御される。
【００３９】
搬送制御装置８は、制御装置９に記憶されている測定ユニット５、５、・・・に関する情報、例えば測定ユニットの識別情報、種類に関する情報等を取得して、サンプルラックの送出を制御する。
【００４０】
図２は、検体容器の外観を示す斜視図である。図３は、サンプルラックの外観を示す斜視図である。図２に示すように、検体容器Ｔは管状をなしており、上端が開口している。内部には、例えば患者から採取した血液検体が収容され、上端の開口は蓋Ｃにより密封することができる。検体容器Ｔの側面には、検体を識別するバーコードが印刷されたバーコードラベルＢＬ１が貼付されている。また図３に示すように、サンプルラックＬは１０本の検体容器Ｔを垂直状態（立位状態）で保持するように構成されている。サンプルラックＬの側面には、サンプルラックＬを識別するバーコードが印刷されたバーコードラベルＢＬ２が貼付されている。
【００４１】
図１の例に示す分析装置１は、４つの検体搬送装置３、３、・・・が、４つの測定ユニット５ａ、５ｂ、５ｃ、５ｄの手前側（図１の紙面に向かって下側）に配置されている。隣接する検体搬送装置３、３間では、サンプルラックＬが受渡しされる。また、図１の紙面に向かって最も右側の検体搬送装置３は、検体投入装置２から投入されたサンプルラックＬの搬送を開始する。図１の紙面に向かって最も左側の検体搬送装置３は、検体収容装置４へサンプルラックＬを搬送する。
【００４２】
図４は、本発明の実施の形態１に係る分析装置１の検体搬送装置３の概略構成を示す模式図である。図４に示すように、検体搬送装置３は、検体を分析装置１の測定ユニット５へ供給するための第１搬送機構３１と、検体を下流側の検体搬送装置３（又は検体収容装置４）へ搬送するための第２搬送機構３２と、第２搬送機構３２を制御する制御部３００とを備えている。第１搬送機構３１は、分析が行われる前の検体を収容する検体容器Ｔを保持する複数のサンプルラックＬを一時的に保持することが可能な分析前ラック保持部３３と、サンプルラックＬを図中矢印Ｘ方向へ水平に直線移動するラック搬送部３５と、サンプルラックＬに貼付されたバーコードラベルのバーコードを読み取るバーコード読取部３６と、サンプルラックＬの有無を検出するラックセンサ３７と、検体容器Ｔの有無を検出する検体容器センサ３８と、分析後ラック保持部３４へサンプルラックＬを送出するラック送出部３９とを備えている。
【００４３】
分析前ラック保持部３３は、平面視において四角形をなしており、幅はサンプルラックＬの幅より若干大きい。分析前ラック保持部３３は、周囲の面よりも一段低く形成されており、上面に分析前のサンプルラックＬを載置する。分析前ラック保持部３３は、第２搬送機構３２と連動しており、後述する第２搬送機構３２のラック送出部３２２によって、第２搬送機構３２からサンプルラックＬが送出される。
【００４４】
分析前ラック保持部３３の近傍には、ラックセンサ３７が取り付けられており、ラックセンサ３７によってサンプルラックＬが検出される位置をラック検出位置３３ａとしている。第２搬送機構３２から送出されたサンプルラックＬは、ラック検出位置３３ａまで搬送され、搬送されたサンプルラックＬがラックセンサ３７により検出される。
【００４５】
また、分析前ラック保持部３３の両側面には、内側へ向けて突出することが可能なラック送込部３３ｂが設けてある。ラックセンサ３７によりサンプルラックＬが検出された場合、ラック送込部３３ｂが突出することによりサンプルラックＬと係合し、係合した状態で後方（ラック搬送部３５に近接する方向）へ移動することにより、サンプルラックＬが後方へと移送される。ラック送込部３３ｂは、分析前ラック保持部３３の下方に設けられたステッピングモータ３３ｃによって駆動される。
【００４６】
ラック搬送部３５は、分析前ラック保持部３３によって移送されたサンプルラックＬを、Ｘ方向へと搬送する。検体容器センサ３８によって検体容器Ｔが検出される検体容器検出位置３５ａ、及び測定ユニット５へ検体を供給するための検体供給位置３５ｃは、ラック搬送部３５によるサンプルラックＬの搬送経路上に存在する。ラック搬送部３５は、サンプルラックＬを、検体容器検出位置３５ａを経由して検体供給位置３５ｃへ搬送する。
【００４７】
検体供給位置３５ｃは、検体容器検出位置３５ａから検体１つ分だけ搬送方向下流側に位置しており、ラック搬送部３５により検体供給位置３５ｃに検体が搬送された場合には、図示しない測定ユニット５のハンド部が当該検体の検体容器Ｔを把持し、サンプルラックＬから検体容器Ｔを取り出し、検体容器Ｔから検体の吸引を行うことによって、検体が測定ユニット５に供給される。ラック搬送部３５は、検体供給位置３５ｃに検体容器Ｔを搬送した後、検体の供給が完了し、当該検体容器ＴがサンプルラックＬへ戻されるまでの間、サンプルラックＬの搬送を停止する。
【００４８】
また、ラック搬送部３５は、それぞれ独立して動作可能な第１ベルト３５１及び第２ベルト３５２の２つのベルトを有している。第１ベルト３５１及び第２ベルト３５２の矢印Ｙ方向の幅は、それぞれサンプルラックＬの矢印Ｙ方向の幅Ｂの半分以下の大きさとなっている。第１ベルト３５１及び第２ベルト３５２は、ラック搬送部３５がサンプルラックＬを搬送するときにサンプルラックＬの矢印Ｙ方向の幅Ｂからはみ出ないように並列に配置されている。第１ベルト３５１及び第２ベルト３５２の移動方向を制御することにより、サンプルラックＬはＸ方向に順方向のみならず逆方向にも移動させることが可能となっている。
【００４９】
バーコード読取部３６は、図２及び図３に示した検体容器Ｔに貼付されたバーコードラベルＢＬ１のバーコードを読み取り、また、サンプルラックＬに貼付されたバーコードラベルＢＬ２のバーコードを読み取る。バーコード読取部３６は、図示しない回転装置によって対象の検体容器ＴをサンプルラックＬに収容したまま水平方向に回転させながら検体容器Ｔの検体バーコードを読み取る。検体容器Ｔを回転させることにより、検体容器ＴのバーコードラベルＢＬ１がバーコード読取部３６に対して反対側に位置する場合でも、バーコードラベルＢＬ１をバーコード読取部３６へ向けることができ、バーコード読取部３６に検体バーコードを読み取らせることができる。また、サンプルラックＬのラックバーコードは、各サンプルラックＬに固有に付されたラックＩＤを記録したものであり、検体の分析結果の管理等に使用される。
【００５０】
ラックセンサ３７及び検体容器センサ３８は、接触型のセンサであり、図示しないのれん形状の接触片、光を出射する発光素子、及び受光素子をそれぞれ有している。ラックセンサ３７及び検体容器センサ３８は、接触片が検出対象の検出物に当接することにより屈曲され、その結果、発光素子から出射された光が接触片により反射されて受光素子に入射する。これにより、検体容器センサ３８の下方をサンプルラックＬに収容された検出対象の検体容器Ｔが通過する際に、接触片が検体容器Ｔにより屈曲され、検体容器Ｔを検出することができる。
【００５１】
ラック送出部３９は、ラック搬送部３５を挟んで分析後ラック保持部３４に対向するように配置されており、ステッピングモータ３９ａの駆動力により矢印Ｙ方向に水平に直線移動する。これにより、分析後ラック保持部３４とラック送出部３９との間の位置３９１（以下、「分析後ラック送出位置」という。）にサンプルラックＬが搬送された場合に、ラック送出部３９を分析後ラック保持部３４側に移動することによって、サンプルラックＬを押動させて分析後ラック保持部３４内に搬送することができる。このようにして、分析が完了したサンプルラックＬは、第１搬送機構３１から第２搬送機構３２へ送出される。
【００５２】
第２搬送機構３２は、ラック搬送部３２１と、ラック送出部３２２と、分析後ラック保持部３４とを備えている。ラック搬送部３２１は、図中矢印Ｘ方向へ延伸しており、サンプルラックＬを矢印Ｘ方向へ水平に直線移動させることができる。ラック搬送部３２１は、環状のベルト３２１ａ及びステッピングモータ３２１ｂを有しており、ステッピングモータ３２１ｂの駆動力によってベルト３２１ａを矢印Ｘ方向へ移動させる。これにより、ベルト３２１ａの上に載置されたサンプルラックＬをＸ方向へ搬送することができる。
【００５３】
ラック送出部３２２は、分析前ラック保持部３３の前側に、ラック搬送部３２１を挟んで分析前ラック保持部３３に対向するように配置されており、ステッピングモータ３２２ａの駆動力により矢印Ｙ方向に水平に直線移動する。これにより、分析前ラック保持部３３とラック送出部３２２との間の位置３２３（以下、「分析前ラック送出位置」という。）にサンプルラックＬが搬送された場合に、ラック送出部３２２を分析前ラック保持部３３側に移動することによって、サンプルラックＬを押動させて分析前ラック保持部３３内のラック検出位置３３ａに搬送させる。
【００５４】
分析後ラック保持部３４は、平面視において四角形をなしており、幅はサンプルラックＬの幅より若干大きい。分析後ラック保持部３４は、周囲の面よりも一段低く形成されており、上面に分析が完了したサンプルラックＬが載置される。分析後ラック保持部３４は、第１搬送機構３１と連動しており、ラック送出部３９によって、ラック搬送部３５からサンプルラックＬが送出される。
【００５５】
分析後ラック保持部３４の両側面には、内側へ向けて突出することが可能なラック送込部３４ｂが設けられている。ラック送出部３９によりサンプルラックＬが送出された場合、ラック送込部３４ｂが突出することによりサンプルラックＬと係合し、係合した状態で前方（ラック搬送部３２１に近接する方向）へ移動することにより、サンプルラックＬが前方へと移送される。かかるラック送込部３４ｂは、分析後ラック保持部３４の下方に設けられたステッピングモータ３４ｃによって駆動される。
【００５６】
検体搬送装置３によるサンプルラックＬの搬送は、検体搬送装置３にＬＡＮ７を介してデータ通信することが可能に接続された搬送制御装置８により制御される。すなわち、搬送制御装置８は、サンプルラックＬの検体投入装置２による投入から検体搬送装置３による搬送、及び検体搬送装置３から検体収容装置４への収容を制御する。
【００５７】
なお、検体投入装置２、検体搬送装置３、及び検体収容装置４は、図１に示すように、それぞれＣＰＵ、ＲＯＭ、ＲＡＭ等から構成される制御部２００、３００、４００を備えている。搬送制御装置８は、検体投入装置２、検体搬送装置３、及び検体収容装置４の制御部２００、３００、４００とデータ通信を行うことにより、動作を制御することができる。また、制御装置９も検体投入装置２、検体搬送装置３、及び検体収容装置４の制御部２００、３００、４００とデータ通信を行うことが可能に接続されている。
【００５８】
図５は、本発明の実施の形態１に係る搬送制御装置８の構成を示すブロック図である。図５に示すように、搬送制御装置８は、ＣＰＵ８１、ＲＡＭ８２、記憶装置８３、入出力インタフェース８４、ビデオインタフェース８５、可搬型ディスクドライブ８６、通信インタフェース８７及び上述したハードウェアを接続する内部バス８８で構成されている。
【００５９】
ＣＰＵ８１は、内部バス８８を介して搬送制御装置８の上述したようなハードウェア各部と接続されており、上述したハードウェア各部の動作を制御するとともに、記憶装置８３に記憶されている搬送制御プログラム１０１に従って、種々のソフトウェア的機能を実行する。ＲＡＭ８２は、ＳＲＡＭ、ＳＤＲＡＭ等の揮発性メモリで構成され、搬送制御プログラム１０１の実行時にロードモジュールが展開され、搬送制御プログラム１０１の実行時に発生する一時的なデータ等を記憶する。
【００６０】
記憶装置８３は、内蔵される固定型記憶装置（ハードディスク）、ＲＯＭ等で構成されている。記憶装置８３に記憶されている搬送制御プログラム１０１は、プログラム及びデータ等の情報を記録したＤＶＤ、ＣＤ−ＲＯＭ等の可搬型記録媒体８０から、可搬型ディスクドライブ８６によりダウンロードされ、実行時には記憶装置８３からＲＡＭ８２へ展開して実行される。もちろん、通信インタフェース８７を介して外部のネットワークに接続されている外部のコンピュータからダウンロードされたコンピュータプログラムであっても良い。
【００６１】
また記憶装置８３は、ＬＡＮ７に接続されている測定ユニット５の種類に応じた搬送制御のための設定項目情報等の搬送制御情報を記憶してある搬送制御情報記憶部８３１を備えている。
【００６２】
通信インタフェース８７は内部バス８８に接続されており、インターネット、ＬＡＮ、ＷＡＮ等の外部のネットワークに接続されることにより、外部のコンピュータ等とデータ送受信を行うことが可能となっている。本実施の形態１ではＬＡＮ７を介して制御装置９、検体搬送装置３、３、・・・等と接続されている。
【００６３】
入出力インタフェース８４は、キーボード、マウス等の入力部１１０と接続され、データの入力を受け付ける。また、ビデオインタフェース８５は、ＣＲＴモニタ、ＬＣＤ等の画像表示部１２０と接続され、所定の画像を表示する。
【００６４】
複数の測定ユニット５、５、・・・は、同種類の構成であっても異種類の構成であっても良い。本実施の形態１では、３つの測定ユニット５ａ、５ｂ、５ｃは同種の測定ユニットであるが、残りの測定ユニット５ｄは異種の測定ユニットとしてある。具体的には、測定ユニット５ａ、５ｂ、５ｃは、血球計数装置であり、例えば測定ユニット５ａ、５ｂ、５ｃともに電気抵抗式の血球計数及び光学式の血球計数の両方を用いて血球を計数する。測定ユニット５ｄは、塗抹標本を作成する塗抹標本作成装置である。
【００６５】
測定ユニット５の種類はこれに限定されるものではなく、尿分析装置、血液凝固測定装置、免疫分析装置、遺伝子増幅測定装置等であっても良いことは言うまでもない。
【００６６】
図６は、本発明の実施の形態１に係る分析装置１の測定ユニット５及び制御装置９の構成を示すブロック図である。図６の例では、血球計数装置である測定ユニット５ａの構成例を示している。図６に示すように、測定ユニット５（５ａ）は、試料取得部５０、試料取得部５０を駆動させる駆動回路５０１、試料調製部５２、試料調製部５２を駆動させる駆動回路５０２、検出部５３、検出部５３を駆動させる駆動回路５０３、及び検出部５３が出力する電気信号に対して波形処理を行う波形処理回路５０４を備えている。
【００６７】
試料取得部５０及び試料調製部５２は、各々、駆動回路５０１及び駆動回路５０２がレジスタ５０５に記憶されている制御データに応じた制御信号を出力することにより駆動される。検出部５３は、例えば取得した光信号を電気信号に変換し、波形処理回路５０４は、変換されて伝達された電気信号を増幅し、増幅した電気信号を波形処理する。レジスタ５０５は、波形処理された電気信号を記憶する。
【００６８】
通信インタフェース５０６は、ＬＡＮインタフェースであり、制御装置９の通信インタフェース９７との間をＬＡＮケーブル７０にて接続してある。これにより、制御装置９からの測定ユニット５（５ａ）に関する情報の送信要求信号を受信した場合、プロセッサ５０７は、制御装置９に対して測定ユニット５（５ａ）に関する情報を送信する。
【００６９】
また、制御装置９は、ＣＰＵ９１、ＲＡＭ９２、記憶装置９３、入出力インタフェース９４、ビデオインタフェース９５、可搬型ディスクドライブ９６、通信インタフェース９７及び上述したハードウェアを接続する内部バス９８で構成されている。
【００７０】
ＣＰＵ９１は、内部バス９８を介して制御装置９の上述したようなハードウェア各部と接続されており、上述したハードウェア各部の動作を制御するとともに、記憶装置９３に記憶されている動作制御プログラム１０２に従って、種々のソフトウェア的機能を実行する。ＲＡＭ９２は、ＳＲＡＭ、ＳＤＲＡＭ等の揮発性メモリで構成され、動作制御プログラム１０２の実行時にロードモジュールが展開され、動作制御プログラム１０２の実行時に発生する一時的なデータ等を記憶する。
【００７１】
記憶装置９３は、内蔵される固定型記憶装置（ハードディスク）、ＲＯＭ等で構成されている。記憶装置９３に記憶されている動作制御プログラム１０２は、プログラム及びデータ等の情報を記録したＤＶＤ、ＣＤ−ＲＯＭ等の可搬型記録媒体９０から、可搬型ディスクドライブ９６によりダウンロードされ、実行時には記憶装置９３からＲＡＭ９２へ展開して実行される。もちろん、通信インタフェース９７を介して外部のネットワークに接続されている外部のコンピュータからダウンロードされたコンピュータプログラムであっても良い。
【００７２】
また記憶装置９３は、接続されている測定ユニット５（５ａ）の識別情報、測定された結果に関する情報等を含む測定ユニット情報を記憶してある測定ユニット情報記憶部９３１を備えている。
【００７３】
通信インタフェース９７は内部バス９８に接続されており、インターネット、ＬＡＮ、ＷＡＮ等の外部のネットワークに接続されることにより、外部のコンピュータ等とデータ送受信を行うことが可能となっている。本実施の形態１ではＬＡＮ７０を介して搬送制御装置８、検体搬送装置３、３、・・・等と接続されている。
【００７４】
入出力インタフェース９４は、キーボード、マウス等の入力部１３０と接続され、データの入力を受け付ける。また、ビデオインタフェース９５は、ＣＲＴモニタ、ＬＣＤ等の表示部１４０と接続され、所定の画像を表示する。
【００７５】
本実施の形態１に係る分析装置１では、検体の初検を測定ユニット５ａにて実行し、再検査の実行が必要であるか否かを判断する。再検査の実行が必要であると判断された場合、再検査の対象となる検体は、再検査を実行する測定ユニット５まで搬送する必要が生じる。すなわち、初検を実行した測定ユニット５ａで再検査を実行する場合には、再検査の対象となる検体が収容された検体容器Ｔを含むサンプルラックＬを、検体供給位置３５ｃへ戻すよう搬送する必要がある。また、初検を実行した測定ユニット５ａとは異なる他の測定ユニット５ｂ又は５ｃで再検査を実行する場合には、再検査の対象となる検体が収容された検体容器Ｔを含むサンプルラックＬを、測定ユニット５ｂ又は５ｃへ搬送する必要がある。
【００７６】
初検を実行した測定ユニット５ａで再検査を実行するか、初検を実行した測定ユニット５ａとは異なる他の測定ユニット５ｂ又は５ｃで再検査を実行するかについては、搬送制御装置８の画像表示部１２０を介して使用者により事前に設定を受け付けておく。図７は、本発明の実施の形態１に係る分析装置１の再検査を実行する測定ユニット５を設定する測定ユニット設定画面の例示図である。
【００７７】
図７に示す測定ユニット設定画面では、まず再検査を実行するか否かの設定を、ラジオボタン等を介したマウス等のクリック操作により受け付ける。もちろんプルダウンメニュー、選択ボタン等を介して設定を受け付けても良い。なお、再検査を「する」との設定を受け付けた場合にのみ、再検査ユニット設定のラジオボタンを有効化することで、誤設定を未然に回避することができる。
【００７８】
再検査を「する」との設定を受け付けた場合、再検査を実行する測定ユニット５（再検査ユニット）の設定を受け付ける。「同ユニット」の設定を受け付けた場合、再検査が必要であると判断された検体は、初検を実行した測定ユニット５ａと同一の測定ユニットで再検査を実行する。したがって、再検査の対象となる検体が収容された検体容器Ｔを含むサンプルラックＬを測定ユニット５ａの検体供給位置３５ｃへ戻すように搬送するよう、搬送制御装置８のＣＰＵ８１から指示が送出される。
【００７９】
「他ユニット」の設定を受け付けた場合、再検査が必要であると判断された検体は、初検を実行した測定ユニット５ａとは異なる他の測定ユニット５ｂ、５ｃで再検査を実行する。なお、測定ユニット５ｂ、５ｃのいずれを選択するかは、所定の選択条件を事前に定めておき選択するようにしておけば良い。例えば、再検査の対象となる検体が収容された検体容器Ｔを含むサンプルラックＬの位置を検出して近接する方の測定ユニット５を選択しても良いし、測定ユニット５ｂ、５ｃそれぞれに搬送されているサンプルラックＬの数を計数しておき、検査待ちのサンプルラックＬの数が少ない方の測定ユニット５を選択しても良い。また、測定ユニット５ｂ、５ｃのプロセッサ５０７、５０７の演算処理負荷を算出しておき、演算処理負荷の軽い方の測定ユニット５を選択しても良い。このように選択された測定ユニット５ｂ又は５ｃの検体供給位置３５ｃへ、再検査の対象となる検体が収容された検体容器Ｔを含むサンプルラックＬを搬送するよう、搬送制御装置８のＣＰＵ８１から指示が送出される。
【００８０】
「指定」の設定を受け付けた場合、再検査が必要であると判断された検体は、指定を受け付けた測定ユニット５で再検査を実行する。測定ユニット５の指定の受付は例えばプルダウンメニューにより受け付ける。この場合、再検査の対象となる検体が収容された検体容器Ｔを含むサンプルラックＬを、指定を受け付けた測定ユニット５の検体供給位置３５ｃへ搬送するよう、搬送制御装置８のＣＰＵ８１から指示が送出される。
【００８１】
「指定なし」の設定を受け付けた場合、再検査が必要であると判断された検体は、所定の条件に基づいて選択される測定ユニット５で再検査を実行する。なお、いずれの測定ユニット５を選択するかは、所定の選択条件を事前に定めておき選択するようにしておけば良い。例えば、再検査の対象となる検体が収容された検体容器Ｔを含むサンプルラックＬの位置を検出して最も近接する測定ユニット５を選択しても良いし、測定ユニット５ａ、５ｂ、５ｃそれぞれに搬送されているサンプルラックＬの数を計数しておき、検査待ちのサンプルラックＬの数が最も少ない測定ユニット５を選択しても良い。また、測定ユニット５ａ、５ｂ、５ｃのプロセッサ５０７、５０７、５０７の演算処理負荷を算出しておき、演算処理負荷の最も軽い測定ユニット５を選択しても良い。このように選択された測定ユニット５の検体供給位置３５ｃへ、再検査の対象となる検体が収容された検体容器Ｔを含むサンプルラックＬを搬送するよう、搬送制御装置８のＣＰＵ８１から指示が送出される。
【００８２】
図７に示す測定ユニット設定画面にて設定を受け付けた再検査を実行する測定ユニット５の選択情報等は、搬送制御装置８の搬送制御情報記憶部８３１に記憶されている。搬送制御装置８のＣＰＵ８１は、搬送制御情報記憶部８３１を照会して、記憶してある測定ユニットの選択情報等に基づいて、再検査の対象となった検体の搬送先に関する情報を取得する。
【００８３】
再検査を実行する測定ユニット５の設定は、測定項目ごとに受け付けても良い。この場合、搬送制御装置８の記憶装置８３に複数の測定項目を判断条件として記憶しておき、測定項目ごとに再検査を実行するか否か、実行する場合の測定ユニット５の選択条件等の設定を受け付ける。図８は、本発明の実施の形態１に係る分析装置１の再検査を実行する測定ユニット５の測定項目ごとの設定画面の例示図である。
【００８４】
図８に示す測定ユニット設定画面では、まず再検査を実行するか否かの設定を、ボタン７２を介したマウス等のクリック操作により、測定項目７１ごとに受け付ける。もちろんプルダウンメニュー、ラジオボタン等を介して設定を受け付けても良い。測定項目７１に表示されている項目は、記憶装置８３に判断条件として記憶されている測定項目を読み出して表示する。図８では、設定を受け付けた項目をハッチングしてある。なお、再検査を「する」との設定を受け付けた場合にのみ、再検査ユニット設定ボタン７３を有効化することで、誤設定を未然に回避することができる。
【００８５】
測定項目である赤血球数及び白血球数について異常を検出した場合の再検査を実行する測定ユニットを設定する「赤血球数異常」及び「白血球数異常」については、図８の例では「同ユニット」の設定を受け付けている。この場合、再検査が必要であると判断された検体は、初検を実行した測定ユニット５ａと同一の測定ユニットで再検査を実行する。したがって、再検査の対象となる検体が収容された検体容器Ｔを含むサンプルラックＬを測定ユニット５ａの検体供給位置３５ｃへ戻すように搬送するよう、搬送制御装置８のＣＰＵ８１から指示が送出される。
【００８６】
測定項目である白血球分画について異常を検出した場合の再検査を実行する測定ユニットを設定する「白血球分画」については、図８の例では「他ユニット」の設定を受け付けている。この場合、再検査が必要であると判断された検体は、初検を実行した測定ユニット５ａとは異なる他の測定ユニット５ｂ、５ｃで再検査を実行する。なお、測定ユニット５ｂ、５ｃのいずれを選択するかは、所定の選択条件を事前に定めておき選択するようにしておけば良い。例えば、再検査の対象となる検体が収容された検体容器Ｔを含むサンプルラックＬの位置を検出して近接する方の測定ユニット５を選択しても良いし、測定ユニット５ｂ、５ｃそれぞれに搬送されているサンプルラックＬの数を計数しておき、検査待ちのサンプルラックＬの数が少ない方の測定ユニット５を選択しても良い。また、測定ユニット５ｂ、５ｃのプロセッサ５０７、５０７の演算処理負荷を算出しておき、演算処理負荷の軽い方の測定ユニット５を選択しても良い。このように選択された測定ユニット５ｂ又は５ｃの検体供給位置３５ｃへ、再検査の対象となる検体が収容された検体容器Ｔを含むサンプルラックＬを搬送するよう、搬送制御装置８のＣＰＵ８１から指示が送出される。
【００８７】
その他「指定（５ｃ）」の設定を受け付けた場合、再検査が必要であると判断された検体は、指定を受け付けた測定ユニット５ｃで再検査を実行する。図８の例では測定ユニット５ｃの指定受付に限定しているが、とくにこれに限定されるものではない。この場合、再検査の対象となる検体が収容された検体容器Ｔを含むサンプルラックＬを、指定を受け付けた測定ユニット５ｃの検体供給位置３５ｃへ搬送するよう、搬送制御装置８のＣＰＵ８１から指示が送出される。
【００８８】
「指定なし」の設定を受け付けた場合、再検査が必要であると判断された検体は、所定の条件に基づいて指定される測定ユニット５で再検査を実行する。なお、いずれの測定ユニット５を選択するかは、所定の選択条件を事前に定めておき選択するようにしておけば良い。例えば、再検査の対象となる検体が収容された検体容器Ｔを含むサンプルラックＬの位置を検出して最も近接する測定ユニット５を選択しても良いし、測定ユニット５ａ、５ｂ、５ｃそれぞれに搬送されているサンプルラックＬの数を計数しておき、検査待ちのサンプルラックＬの数が最も少ない測定ユニット５を選択しても良い。また、測定ユニット５ａ、５ｂ、５ｃのプロセッサ５０７、５０７、５０７の演算処理負荷を算出しておき、演算処理負荷の最も軽い測定ユニット５を選択しても良い。このように選択された測定ユニット５の検体供給位置３５ｃへ、再検査の対象となる検体が収容された検体容器Ｔを含むサンプルラックＬを搬送するよう、搬送制御装置８のＣＰＵ８１から指示が送出される。
【００８９】
図８に示す測定ユニット設定画面にて設定を受け付けた再検査を実行する測定ユニット５の選択情報等は、搬送制御装置８の搬送制御情報記憶部８３１に記憶されている。搬送制御装置８のＣＰＵ８１は、搬送制御情報記憶部８３１を照会して、記憶してある測定ユニット５の選択情報等に基づいて、再検査の対象となった検体の搬送先に関する情報を取得する。
【００９０】
その他、各測定項目の測定値が正常であるか否かを判断するために測定値が正常である正常範囲を制御装置９の記憶装置９３に記憶しておき、取得した測定データが正常範囲内であるか否かに基づいて、再検査が必要であるか否かを判断しても良い。この場合、図８の例に、測定項目ごとの正常範囲の設定を受け付ける項目を設けても良い。測定項目ごとに正常範囲を適切に設定することができ、無用な再検査を回避することができるとともに、再検査の必要な検体の看過を未然に防止することが可能となる。設定された測定項目ごとの正常範囲はＬＡＮ７を介して制御装置９の記憶装置９３に記憶される。
【００９１】
図９は、本発明の実施の形態１に係る分析装置１の搬送制御装置８のＣＰＵ８１の再検査処理の手順を示すフローチャートである。図９において、本実施の形態１に係る分析装置１の搬送制御装置８のＣＰＵ８１は、制御装置９のＣＰＵ９１から再検査を実行する旨の再検査オーダ信号を受信したか否かを判断する（ステップＳ９０１）。すなわち、ＣＰＵ８１は、ＣＰＵ９１から再検査を実行する旨の再検査オーダ信号を受信した場合には、再検査が必要であると判断し、所定期間内にＣＰＵ９１から再検査を実行する旨の再検査オーダ信号を受信しない場合には、再検査が不要であると判断する。なお、制御装置９のＣＰＵ９１は、再検査が必要であるか否かを所定の条件に基づいて判断し、再検査が必要な場合には、再検査オーダ信号を搬送制御装置８に送信し、再検査が不要な場合には、再検査オーダ信号の送信を行わない。そして、ＣＰＵ８１が、再検査オーダ信号を受信していないと判断した場合（ステップＳ９０１：ＮＯ）、ＣＰＵ８１は、受信待ち状態となる。
【００９２】
再検査オーダ信号には、検体を識別する検体識別情報として例えばバーコード情報に含まれる検体ＩＤ、患者を識別する患者識別情報等の初検のオーダ情報に含まれている情報だけでなく、再検査が必要と判断された測定項目、初検を実行した測定ユニットを識別する測定ユニットＩＤ等も含まれる。ＣＰＵ８１が、再検査オーダ信号を受信したと判断した場合（ステップＳ９０１：ＹＥＳ）、ＣＰＵ８１は、搬送制御情報記憶部８３１に記憶してある測定ユニットの選択情報を照会し（ステップＳ９０２）、再検査が必要と判断された検体の搬送先である測定ユニット５、すなわち再検査を実行する測定ユニット５を特定する（ステップＳ９０３）。
【００９３】
ＣＰＵ８１は、特定された測定ユニット５が、初検を実行した測定ユニット５と同一の測定ユニットであるか否かを判断する（ステップＳ９０４）。ＣＰＵ８１が、特定された測定ユニット５が、初検を実行した測定ユニット５と同一の測定ユニット５であると判断した場合（ステップＳ９０４：ＹＥＳ）、ＣＰＵ８１は、再検査の対象となる検体が収容された検体容器Ｔを含むサンプルラックＬを、初検を実行した測定ユニット５の検体供給位置３５ｃへ戻すように搬送するよう指示を送出する（ステップＳ９０５）。
【００９４】
ＣＰＵ８１が、特定された測定ユニット５が、初検を実行した測定ユニット５とは異なる他の測定ユニット５であると判断した場合（ステップＳ９０４：ＮＯ）、ＣＰＵ８１は、再検査の対象となる検体が収容された検体容器Ｔを含むサンプルラックＬを、特定された測定ユニット５へ搬送するよう指示を送出する（ステップＳ９０６）。
【００９５】
以上のように本実施の形態１によれば、検体の再検査を実行する測定ユニット５の設定として、最短で分析結果を得ることができる初検を実行した測定ユニット５の設定、又は該測定ユニット５以外の他の測定ユニット５の設定を、それぞれ受け付けることができ、再検査を初検とは異なる他の測定ユニット５で実行したいという要望と、再検査が必要であると判断された検体の再検査の分析結果を早期に取得したいという要望との両方の要望を実現することが可能な分析装置を提供することができる。
【００９６】
（実施の形態２）
本発明の実施の形態２に係る分析装置１の構成は、実施の形態１に係る分析装置１と同様であることから、同一の符号を付することにより詳細な説明は省略する。本実施の形態２は、再検査が必要であると判断された検体が生じた時点で再測定の分析結果を取得するまでの時間である分析結果取得時間を測定ユニットごとに算出し、分析結果取得時間が最短である測定ユニットに検体を搬送するよう制御する点で実施の形態１と相違する。
【００９７】
したがって、初検を実行した測定ユニット５ａで再検査を実行するか、初検を実行した測定ユニット５ａとは異なる他の測定ユニット５ｂ又は５ｃで再検査を実行するかについて、搬送制御装置８の画像表示部１２０を介して使用者により事前に設定を受け付ける必要がなく、再検査を実行する測定ユニット５を設定する測定ユニット設定画面も必要とはしない。つまり、実施の形態１における「指定なし」の設定を受け付けた場合の処理と同様になる。
【００９８】
所定の検体について再検査が必要であると判断された場合、搬送制御装置８のＣＰＵ８１は、再検査の対象となる検体が収容された検体容器Ｔを含むサンプルラックＬの現在位置を検出し、搬送してから検体を吸引して分析結果を取得するまでの分析結果取得時間を、搬送先である測定ユニットごとに算出する。分析結果取得時間は、再検査の対象となる検体が収容された検体容器Ｔを含むサンプルラックＬの現在位置からの搬送時間であっても良いし、測定ユニットごとの測定待ちの検体数から換算した時間であっても良い。その他、これらの時間を組み合わせて総合的に判断する指標を算出しても良い。
【００９９】
図１０は、本発明の実施の形態２に係る分析装置１の搬送制御装置８のＣＰＵ８１の再検査処理の手順を示すフローチャートである。図１０において、本実施の形態２に係る分析装置１の搬送制御装置８のＣＰＵ８１は、制御装置９のＣＰＵ９１から再検査を実行する旨の再検査オーダ信号を受信したか否かを判断する（ステップＳ１００１）。ＣＰＵ８１が、再検査オーダ信号を受信していないと判断した場合（ステップＳ１００１：ＮＯ）、ＣＰＵ８１は、受信待ち状態となる。
【０１００】
再検査オーダ信号には、検体を識別する検体識別情報として例えばバーコード情報に含まれる検体ＩＤ、患者を識別する患者情報等の初検のオーダ情報に含まれている情報だけでなく、再検査が必要と判断された測定項目、初検を実行した測定ユニットを識別する測定ユニットＩＤ等も含まれる。ＣＰＵ８１が、再検査オーダ信号を受信したと判断した場合（ステップＳ１００１：ＹＥＳ）、ＣＰＵ８１は、測定ユニットごとに分析結果取得時間を算出する（ステップＳ１００２）。ＣＰＵ８１は、算出した分析結果取得時間が最短である測定ユニット５を、再検査を実行する測定ユニット５として選択する（ステップＳ１００３）。
【０１０１】
ＣＰＵ８１は、選択された測定ユニット５が、初検を実行した測定ユニット５と同一の測定ユニットであるか否かを判断する（ステップＳ１００４）。ＣＰＵ８１が、選択された測定ユニット５が、初検を実行した測定ユニット５と同一の測定ユニットであると判断した場合（ステップＳ１００４：ＹＥＳ）、ＣＰＵ８１は、再検査の対象となる検体が収容された検体容器Ｔを含むサンプルラックＬを、初検を実行した測定ユニット５の検体供給位置３５ｃへ戻すように搬送するよう指示を送出する（ステップＳ１００５）。
【０１０２】
ＣＰＵ８１が、選択された測定ユニット５が、初検を実行した測定ユニット５とは異なる他の測定ユニット５であると判断した場合（ステップＳ１００４：ＮＯ）、ＣＰＵ８１は、再検査の対象となる検体が収容された検体容器Ｔを含むサンプルラックＬを、選択された測定ユニット５へ搬送するよう指示を送出する（ステップＳ１００６）。
【０１０３】
以上のように本実施の形態２によれば、再検査が必要であると判断された検体の再測定に要する分析結果取得時間を測定ユニットごとに算出し、算出した分析結果取得時間が最も短い測定ユニットを、検体の再測定を実行する測定ユニットとして選択する。搬送装置が、再検査が必要であると判断された検体を、選択された測定ユニットへ搬送するよう制御することにより、再検査を実行する測定ユニットとして、分析結果取得時間が最短となる測定ユニットが自動的に選択され、再検査の分析結果を早期に取得することが可能となる。
【０１０４】
なお、算出した分析結果取得時間が最短である測定ユニットを、再検査を実行する測定ユニットとして選択するのではなく、算出した分析結果取得時間を表示して、表示された分析結果取得時間に基づいて、使用者による再検査を実行する測定ユニットの選択を受け付けても良い。この場合であっても、搬送制御装置が、再検査が必要であると判断された検体を、選択を受け付けた測定ユニットへ搬送するよう制御することにより、再検査を実行する測定ユニットとして、分析結果取得時間が最短となる測定ユニットの選択を受け付けることが可能となる。
【０１０５】
（実施の形態３）
図１１は、本発明の実施の形態３に係る分析装置１の概略構成を示す模式図である。本発明の実施の形態３に係る分析装置１は、互いに同種類の第１測定ユニット５ａ及び第２測定ユニット５ｂの２つの測定ユニットと、第１測定ユニット５ａ及び第２測定ユニット５ｂの前面側に配置された検体搬送装置（搬送装置）３と、第１測定ユニット５ａ、第２測定ユニット５ｂ及び検体搬送装置３に電気的に接続されたＰＣ（パーソナルコンピュータ）からなる制御装置１２とを備えている。
【０１０６】
本実施の形態３では、第１測定ユニット５ａと第２測定ユニット５ｂとは同種類の測定ユニットであり、同一の測定原理を用いて同一の測定項目について検体を測定する。なお、同種類とは、２つの測定ユニット５ａ、５ｂが完全に同一の測定項目について検体を測定する場合のみならず、第１測定ユニット５ａによる複数の測定項目と第２測定ユニット５ｂによる複数の測定項目とが部分的に共通している場合も含む。
【０１０７】
また、第１測定ユニット５ａ及び第２測定ユニット５ｂは、並列に配置されている。さらに、第１測定ユニット５ａ及び第２測定ユニット５ｂは、それぞれ検体搬送装置３が搬送するサンプルラックＬに収容された検体容器Ｔを、筐体に設けられた取り込み口５１ａ及び５１ｂから内部に取り込み、内蔵している検体吸引部により吸引した検体の所定の測定項目について測定する。
【０１０８】
制御装置１２は、パーソナルコンピュータ（ＰＣ）等で構成されている。図１２は、本発明の実施の形態３に係る分析装置１の制御装置１２の構成を示すブロック図である。図１２に示すように、制御装置１２は、ＣＰＵ１２１、ＲＡＭ１２２、記憶装置１２３、入出力インタフェース１２４、ビデオインタフェース１２５、可搬型ディスクドライブ１２６、通信インタフェース１２７及び上述したハードウェアを接続する内部バス１２８で構成されている。
【０１０９】
ＣＰＵ１２１は、内部バス１２８を介して制御装置１２の上述したようなハードウェア各部と接続されており、上述したハードウェア各部の動作を制御するとともに、記憶装置１２３に記憶されている搬送制御プログラム１０１に従って、種々のソフトウェア的機能を実行する。ＲＡＭ１２２は、ＳＲＡＭ、ＳＤＲＡＭ等の揮発性メモリで構成され、搬送制御プログラム１０１の実行時にロードモジュールが展開され、搬送制御プログラム１０１の実行時に発生する一時的なデータ等を記憶する。
【０１１０】
記憶装置１２３は、内蔵される固定型記憶装置（ハードディスク）、ＲＯＭ等で構成されている。記憶装置１２３に記憶されている搬送制御プログラム１０１は、プログラム及びデータ等の情報を記録したＤＶＤ、ＣＤ−ＲＯＭ等の可搬型記録媒体８０から、可搬型ディスクドライブ１２６によりダウンロードされ、実行時には記憶装置１２３からＲＡＭ１２２へ展開して実行される。もちろん、通信インタフェース１２７を介してネットワークに接続されている外部のコンピュータからダウンロードされたコンピュータプログラムであっても良い。また記憶装置１２３は、測定ユニット５ａ、５ｂごとに搬送制御のための設定項目情報等の搬送制御情報を記憶してある搬送制御情報記憶部１２３１を備えている。
【０１１１】
通信インタフェース１２７は内部バス１２８に接続されており、インターネット、ＬＡＮ、ＷＡＮ等の外部のネットワークに接続されることにより、外部のコンピュータ等とデータ送受信を行うことが可能となっている。
【０１１２】
入出力インタフェース１２４は、キーボード、マウス等の入力部１２ｂと接続され、データの入力を受け付ける。また、ビデオインタフェース１２５は、ＣＲＴモニタ、ＬＣＤ等の画像表示部１２ａと接続され、所定の画像を表示する。
【０１１３】
検体搬送装置３の概略構成は実施の形態１と同様であることから、同一の符号を付することで詳細な説明は省略する。なお、分析前ラック保持部３３は、平面視において四角形をなしており、幅はサンプルラックＬの幅より若干大きい。分析前ラック保持部３３は、周囲の面よりも一段低く形成されており、上面に分析前の検体容器Ｔ、Ｔ、・・・を収容したサンプルラックＬを載置する。
【０１１４】
また、分析後ラック保持部３４は、平面視において四角形をなしており、幅はサンプルラックＬの幅より若干大きい。分析後ラック保持部３４は、周囲の面よりも一段低く形成されており、上面に分析後のサンプルラックＬが載置される。
【０１１５】
本実施の形態３に係る分析装置１では、検体の初検を測定ユニット５ａにて実行し、再検査の実行が必要であるか否かを判断する。再検査の実行が必要であると判断された場合、再検査の対象となる検体は、再検査を実行する測定ユニット５まで搬送する必要が生じる。すなわち、初検を実行した測定ユニット５ａで再検査を実行する場合には、再検査の対象となる検体が収容された検体容器Ｔを含むサンプルラックＬを、検体供給位置３５ｃへ戻すよう搬送する必要がある。また、初検を実行した測定ユニット５ａとは異なる測定ユニット５ｂで再検査を実行する場合には、再検査の対象となる検体が収容された検体容器Ｔを含むサンプルラックＬを、隣接する測定ユニット５ｂへ搬送する必要がある。
【０１１６】
初検を実行した測定ユニット５ａで再検査を実行するか、初検を実行した測定ユニット５ａとは異なる他の測定ユニット５ｂで再検査を実行するかについては、制御装置１２の画像表示部１２ａを介して使用者により事前に設定を受け付けておく。画像表示部１２ａに表示される測定ユニット設定画面は、実施の形態１の図７と同様である。
【０１１７】
例えば再検査を「する」との設定を受け付けた場合、再検査を実行する測定ユニット５（再検査ユニット）の設定を受け付ける。「同ユニット」の設定を受け付けた場合、再検査が必要であると判断された検体は、初検を実行した測定ユニット５ａと同一の測定ユニットで再検査を実行する。したがって、再検査の対象となる検体が収容された検体容器Ｔを含むサンプルラックＬを測定ユニット５ａの検体供給位置３５ｃへ戻すように搬送するよう、制御装置１２のＣＰＵ１２１から指示が送出される。
【０１１８】
「他ユニット」の設定を受け付けた場合、再検査が必要であると判断された検体は、初検を実行した測定ユニット５ａとは異なる他の測定ユニット５ｂで再検査を実行する。測定ユニット５ｂの検体供給位置３５ｃへ、再検査の対象となる検体が収容された検体容器Ｔを含むサンプルラックＬを搬送するよう、制御装置１２のＣＰＵ１２１から指示が送出される。
【０１１９】
「指定」の設定を受け付けた場合、再検査が必要であると判断された検体は、指定を受け付けた測定ユニット５で再検査を実行する。測定ユニット５の指定の受付は例えばプルダウンメニューにより受け付ける。この場合、再検査の対象となる検体が収容された検体容器Ｔを含むサンプルラックＬを、指定を受け付けた測定ユニット５の検体供給位置３５ｃへ搬送するよう、制御装置１２のＣＰＵ１２１から指示が送出される。
【０１２０】
「指定なし」の設定を受け付けた場合、再検査が必要であると判断された検体は、所定の条件に基づいて選択される測定ユニット５で再検査を実行する。なお、いずれの測定ユニット５を選択するかは、所定の選択条件を事前に定めておき選択するようにしておけば良い。例えば、再検査の対象となる検体が収容された検体容器Ｔを含むサンプルラックＬの位置を検出して最も近接する測定ユニット５を選択しても良いし、測定ユニット５ａ、５ｂそれぞれに搬送されているサンプルラックＬの数を計数しておき、検査待ちのサンプルラックＬの数が少ない測定ユニット５を選択しても良い。また、測定ユニット５ａ、５ｂのプロセッサ５０７、５０７の演算処理負荷を算出しておき、演算処理負荷の軽い測定ユニット５を選択しても良い。このように選択された測定ユニット５の検体供給位置３５ｃへ、再検査の対象となる検体が収容された検体容器Ｔを含むサンプルラックＬを搬送するよう、制御装置１２のＣＰＵ１２１から指示が送出される。
【０１２１】
図７に示す測定ユニット設定画面にて設定を受け付けた再検査を実行する測定ユニット５の選択情報等は、制御装置１２の搬送制御情報記憶部１２３１に記憶されている。制御装置１２のＣＰＵ１２１は、搬送制御情報記憶部１２３１を照会して、記憶してある測定ユニット５の選択情報等に基づいて、再検査の対象となった検体の搬送先に関する情報を取得する。
【０１２２】
再検査を実行する測定ユニット５の設定は、測定項目ごとに受け付けても良い。この場合、制御装置１２の記憶装置１２３に複数の測定項目を判断条件として記憶しておき、測定項目ごとに再検査を実行するか否か、実行する場合の測定ユニット５の選択条件等の設定を受け付ける。再検査を実行する測定ユニット５の測定項目ごとの設定画面は実施の形態１の図８と同様であることから、設定内容も含めて詳細な説明は省略する。
【０１２３】
図８に示す測定ユニット設定画面にて設定を受け付けた再検査を実行する測定ユニット５の選択情報等も、制御装置１２の搬送制御情報記憶部１２３１に記憶されている。制御装置１２のＣＰＵ１２１は、搬送制御情報記憶部１２３１を照会して、記憶してある測定ユニットの選択情報等に基づいて、再検査の対象となった検体の搬送先に関する情報を取得する。
【０１２４】
その他、各測定項目の測定値が正常であるか否かを判断するために測定値が正常である正常範囲を制御装置１２の記憶装置１２３に記憶しておき、取得した測定データが正常範囲内であるか否かに基づいて、再検査が必要であるか否かを判断しても良い。この場合、図８の例に、測定項目ごとの正常範囲の設定を受け付ける項目を設けても良い。測定項目ごとに正常範囲を適切に設定することができ、無用な再検査を回避することができるとともに、再検査の必要な検体の看過を未然に防止することが可能となる。設定を受け付けた測定項目ごとの正常範囲も制御装置１２の記憶装置１２３に記憶される。
【０１２５】
図１３は、本発明の実施の形態３に係る分析装置１の制御装置１２のＣＰＵ１２１の再検査処理の手順を示すフローチャートである。図１３において、本実施の形態３に係る分析装置１の制御装置１２のＣＰＵ１２１は、分析結果を取得した検体について再検査を実行するか否かを判断する（ステップＳ１３０１）。ＣＰＵ１２１が、再検査を実行しないと判断した場合（ステップＳ１３０１：ＮＯ）、ＣＰＵ１２１は、処理を終了する。
【０１２６】
ＣＰＵ１２１が、再検査を実行すると判断した場合（ステップＳ１３０１：ＹＥＳ）、ＣＰＵ１２１は、搬送制御情報記憶部１２３１に記憶してある測定ユニットの選択情報を照会し（ステップＳ１３０２）、再検査が必要と判断された検体の搬送先である測定ユニット５、すなわち再検査を実行する測定ユニット５を特定する（ステップＳ１３０３）。
【０１２７】
ＣＰＵ１２１は、特定された測定ユニット５が、初検を実行した測定ユニット５と同一の測定ユニットであるか否かを判断する（ステップＳ１３０４）。ＣＰＵ１２１が、特定された測定ユニット５が、初検を実行した測定ユニット５と同一の測定ユニットであると判断した場合（ステップＳ１３０４：ＹＥＳ）、ＣＰＵ１２１は、再検査の対象となる検体が収容された検体容器Ｔを含むサンプルラックＬを、初検を実行した測定ユニット５の検体供給位置３５ｃへ戻すように搬送するよう指示を送出する（ステップＳ１３０５）。
【０１２８】
ＣＰＵ１２１が、特定された測定ユニット５が、初検を実行した測定ユニット５とは異なる他の測定ユニット５であると判断した場合（ステップＳ１３０４：ＮＯ）、ＣＰＵ１２１は、再検査の対象となる検体が収容された検体容器Ｔを含むサンプルラックＬを、特定された測定ユニットへ搬送するよう指示を送出する（ステップＳ１３０６）。
【０１２９】
以上のように本実施の形態３によれば、検体の再検査を実行する測定ユニットの設定を任意に受け付けることができるので、最短で分析結果を得ることができる初検を実行した測定ユニット、又は該測定ユニットと異なる測定ユニットを、再検査を実行する測定ユニットとして明示的な指定を受け付けることができ、所定の測定項目の分析結果が正常範囲を外れている場合であって、異常の原因を特定することができない場合であっても、再検査を初検とは異なる他の別の測定ユニットにて再検査を実行することが可能となる。
【０１３０】
その他、本発明は上記実施の形態１乃至３に限定されるものではなく、本発明の趣旨の範囲内であれば多種の変形、置換等が可能である。例えば搬送制御装置８、制御装置９は単数であっても複数であっても良いし、一体となっていても良い。
【符号の説明】
【０１３１】
１  分析装置
２  検体投入装置
３  検体搬送装置（搬送装置）
４  検体収容装置
５、５ａ、５ｂ、５ｃ、５ｄ  測定ユニット
７  ＬＡＮ
８  搬送制御装置
９、１２  制御装置
８１、９１、１２１  ＣＰＵ
８２、９２、１２２  ＲＡＭ
８３、９３、１２３  記憶装置
８４、９４、１２４  入出力インタフェース
８５、９５、１２５  ビデオインタフェース
８６、９６、１２６  可搬型ディスクドライブ
８７、９７、１２７  通信インタフェース
８８、９８、１２８  内部バス
１０１  搬送制御プログラム
１０２  動作制御プログラム
８３１、１２３１  搬送制御情報記憶部
９３１  測定ユニット情報記憶部
【図１】
2010190816.tif 000003
【図２】
2010190816.tif 000004
【図３】
2010190816.tif 000005
【図４】
2010190816.tif 000006
【図５】
2010190816.tif 000007
【図６】
2010190816.tif 000008
【図７】
2010190816.tif 000009
【図８】
2010190816.tif 000010
【図９】
2010190816.tif 000011
【図１０】
2010190816.tif 000012
【図１１】
2010190816.tif 000013
【図１２】
2010190816.tif 000014
【図１３】
2010190816.tif 000015